(57)【特許請求の範囲】
【請求項１】
ＩＤチップ付きラベルを取付けた収納品を冷却・保存する計量機能付き冷蔵庫であって、
前記ＩＤチップ付きラベルに埋め込まれた微小な粉末状のＩＤチップに記録されたＩＤ情報を非接触で読取るＩＤチップ読取部と、前記収納品の総重量を計量する計量器と、前記ＩＤチップ読取部によって前記ＩＤチップから読取られた前記収納品のＩＤ情報及び前記計量器によって計量された前記収納品の計量情報を登録するデータベースと、前記ＩＤチップに記録された前記収納品のＩＤ情報及び前記収納品の計量情報の内容を表示する表示パネルと、前記表示パネルを操作する操作パネルと、冷蔵庫全体を制御する制御部とを有し、前記制御部は、前記ＩＤチップ付きラベルに埋め込まれた粉末状の前記ＩＤチップに記録された前記収納品のＩＤ情報を前記ＩＤチップ読取部で読取り、前記ＩＤチップから読取られた前記収納品のＩＤ情報が前記データベースに登録済みでない場合に、前記収納品の総重量を前記計量器で計量し、前記収納品のＩＤ情報及び計量情報を前記データベースに登録する機能と、前記ＩＤチップから読取られた前記収納品のＩＤ情報が前記データベースに既に登録済みである場合に、前記ＩＤチップから読取られた前記収納品のＩＤ情報を前記データベースに既に登録されている前記収納品のＩＤ情報と照合し、前記収納品の総重量を前記計量器で計量し、前記収納品の総重量から容器重量を減算して食品重量を算出する機能と、前記収納品の食品重量が０である場合に、品切れの収納品のログ情報を前記データベースに格納し、前記収納品のＩＤ情報及び計量情報を前記データベースから削除する機能と、前記操作パネルからの品切れの収納品一覧の表示指定により、前記データベースに格納した前記品切れの収納品のログ情報を読出し、品切れの収納品一覧を前記表示パネルの表示画面に表示する機能とを備えたことを特徴とする計量機能付き冷蔵庫。
【請求項２】
上記ＩＤチップに記録した上記収納品のＩＤ情報は、ＩＤコード，品名，種別，食品重量，内容量，生産者名，製造メーカ名，賞味期限年月日，生産地，採取年月日，出荷年月日，製造年月日，価格，登録年月日，最終収納年月日，品切れ年月日等の情報を有する請求項１に記載の計量機能付き冷蔵庫。
【請求項３】
上記計量器は、冷蔵庫本体に開閉自在に設けた扉に対して前方に向って直立位置から水平位置まで引倒し可能な構造を有している請求項１に記載の計量機能付き冷蔵庫。
【請求項４】
上記計量器は、上記冷蔵庫本体に対して前方に向って引出し可能な構造を有している請求項１に記載の計量機能付き冷蔵庫。
【請求項５】
上記表示パネルは、上記扉に対して取外し可能な構造を有している請求項１に記載の計量機能付き冷蔵庫。
【請求項６】
上記制御部は、上記収納品のＩＤ情報に総重量及び容器重量がない場合に、前記収納品の総重量を上記計量器で計量する機能と、前記収納品の総重量から食品重量を減算して容器重量を算出する機能と、前記収納品の計量情報として前記総重量及び前記容器重量を上記データベースに登録する機能とを備えている請求項１乃至５のいずれかに記載の計量機能付き冷蔵庫。
【請求項７】
上記制御部は、上記収納品の食品重量が０でない場合に、前記収納品の計量情報として前記食品重量を上記データベースに再登録する機能を備えている請求項１乃至６のいずれかに記載の計量機能付き冷蔵庫。
【請求項８】
上記制御部は、上記操作パネルからの上記収納品のＩＤ情報の表示指定により、前記収納品のＩＤ情報を上記データベースから読出す機能と、前記データベースに登録した前記収納品のＩＤ情報を上記表示パネルの表示画面に表示する機能とを備えている請求項１乃至７のいずれかに記載の計量機能付き冷蔵庫。
【請求項９】
上記制御部は、上記操作パネルからの在庫の収納品一覧の表示指定により、上記収納品のＩＤ情報を上記データベースから読出す機能と、前記在庫の収納品一覧を上記表示パネルの表示画面に表示する機能とを備えている請求項１乃至８のいずれかに記載の計量機能付き冷蔵庫。
【請求項１０】
上記制御部は、上記収納品の更新要求がある場合に、前記収納品の更新指示を上記操作パネルで行い、上記データベースに登録された前記収納品のＩＤ情報及び計量情報の内容を更新する機能を備えている請求項１乃至９のいずれかに記載の計量機能付き冷蔵庫。
【請求項１１】
上記制御部は、上記収納品のＩＤ情報及び計量情報の削除指定がある場合に、削除指定した前記収納品のＩＤ情報及び計量情報を上記データベースから削除する機能を備えている請求項１乃至１０のいずれかに記載の計量機能付き冷蔵庫。
【発明の詳細な説明】
【０００１】
【発明の属する技術分野】
本発明は、特に、野菜，果実，魚介類等の食品である収納品の重量を計量する計量機能付き冷蔵庫に関するものである。
【０００２】
【従来の技術】
一般に、冷蔵庫は肉，野菜，果物，キノコ，魚介類，生卵等の生鮮食品やヨーグルト，バター，チーズ等の乳製品や加工食品や冷凍食品や水，牛乳，ジュース等の飲料やアルコール飲料や味噌等の調味料を低温で冷却・保存するものである。
従来、冷蔵室と冷凍室と野菜室を有する箱形の冷蔵庫本体に扉を開閉自在に設け、扉に在庫の収納品の保存リストや保存期間を表示する表示パネルを設けた冷蔵庫が知られている。
【０００３】
また、シール表面部にバーコードが付されると共に、粘着剤層を有するシール裏面部に読込専用の固定ＩＤ部と外部からの指令によりＩＤコードを可変可能な複数のメモリセルから成る可変ＩＤ部とを有する非接触ＩＤタグが着設されて成るＲＦＩＤ機能を有するバーコード用シールが特開２００１−５９３１号公報に開示されている。
【０００４】
【発明が解決しようとする課題】
ところが、従来の冷蔵庫では、表示パネルに在庫の収納品の保存リストや保存期間を手で入力しなければならず、表示パネルに在庫の収納品の保存リストや保存期間を表示するのみのものであった。
【０００５】
また、特開２００１−５９３１号公報に開示されたＲＦＩＤ機能を有するバーコード用シールでは、シールを折り曲げると、ＩＣチップが壊れるおそれがあり、ＩＣチップを粘着剤層に非導電性部材から成る保護コーティングを介して埋設しなければならなかった。
【０００６】
本発明の目的は、上述する問題点に対処して、収納品に粉末状のＩＤチップを埋め込んだＩＤチップ付きラベルを取付け、ＩＤチップ付きラベルに埋め込まれたＩＤチップに記録された収納品のＩＤ情報をＩＤチップ読取部で読取り、ＩＤチップから読取られた収納品のＩＤ情報がデータベースに登録済みでない場合に、収納品を計量器で計量するのみで、収納品のＩＤ情報及び計量情報をデータベースに登録し、収納品のＩＤ情報及び計量情報をデータベースにより管理することが可能な計量機能付き冷蔵庫を提供することにある。
【０００７】
【課題を解決するための手段】
本発明の計量機能付き冷蔵庫は、ＩＤチップ付きラベルを取付けた収納品を冷却・保存する計量機能付き冷蔵庫であって、前記ＩＤチップ付きラベルに埋め込まれた微小な粉末状のＩＤチップに記録されたＩＤ情報を非接触で読取るＩＤチップ読取部と、前記収納品の総重量を計量する計量器と、前記ＩＤチップ読取部によって前記ＩＤチップから読取られた前記収納品のＩＤ情報及び前記計量器によって計量された前記収納品の計量情報を登録するデータベースと、前記ＩＤチップに記録された前記収納品のＩＤ情報及び前記収納品の計量情報の内容を表示する表示パネルと、前記表示パネルを操作する操作パネルと、冷蔵庫全体を制御する制御部とを有し、前記制御部が、前記ＩＤチップ付きラベルに埋め込まれた粉末状の前記ＩＤチップに記録された前記収納品のＩＤ情報を前記ＩＤチップ読取部で読取り、前記ＩＤチップから読取られた前記収納品のＩＤ情報が前記データベースに登録済みでない場合に、前記収納品の総重量を前記計量器で計量し、前記収納品のＩＤ情報及び計量情報を前記データベースに登録する機能と、前記ＩＤチップから読取られた前記収納品のＩＤ情報が前記データベースに既に登録済みである場合に、前記ＩＤチップから読取られた前記収納品のＩＤ情報を前記データベースに既に登録されている前記収納品のＩＤ情報と照合し、前記収納品の総重量を前記計量器で計量し、前記収納品の総重量から容器重量を減算して食品重量を算出する機能と、前記収納品の食品重量が０である場合に、品切れの収納品のログ情報を前記データベースに格納し、前記収納品のＩＤ情報及び計量情報を前記データベースから削除する機能と、前記操作パネルからの品切れの収納品一覧の表示指定により、前記データベースに格納した前記品切れの収納品のログ情報を読出し、品切れの収納品一覧を前記表示パネルの表示画面に表示する機能とを備えたことを特徴とする構成を有するものである。
【０００８】
本発明の計量機能付き冷蔵庫は、上記ＩＤチップに記録した上記収納品のＩＤ情報が、ＩＤコード，品名，種別，食品重量，内容量，生産者名，製造メーカ名，賞味期限年月日，生産地，採取年月日，出荷年月日，製造年月日，価格，登録年月日，最終収納年月日，品切れ年月日等の情報を有している。
【０００９】
本発明の計量機能付き冷蔵庫は、上記計量器が、冷蔵庫本体に開閉自在に設けた扉に対して前方に向って直立位置から水平位置まで引倒し可能な構造を有している。
【００１０】
本発明の計量機能付き冷蔵庫は、上記計量器が、上記冷蔵庫本体に対して前方に向って引出し可能な構造を有している。
【００１１】
本発明の計量機能付き冷蔵庫は、上記表示パネルが、上記扉に対して取外し可能な構造を有している。
【００１２】
本発明の計量機能付き冷蔵庫は、上記制御部が、上記収納品のＩＤ情報に総重量及び容器重量がない場合に、前記収納品の総重量を上記計量器で計量する機能と、前記収納品の総重量から食品重量を減算して容器重量を算出する機能と、前記収納品の計量情報として前記総重量及び前記容器重量を上記データベースに登録する機能とを備えている。
【００１３】
本発明の計量機能付き冷蔵庫は、上記制御部が、上記収納品の食品重量が０でない場合に、前記収納品の計量情報として前記食品重量を上記データベースに再登録する機能を備えている。
【００１４】
本発明の計量機能付き冷蔵庫は、上記制御部が、上記操作パネルからの上記収納品のＩＤ情報の表示指定により、前記収納品のＩＤ情報を上記データベースから読出す機能と、前記データベースに登録した前記収納品のＩＤ情報を上記表示パネルの表示画面に表示する機能とを備えている。
【００１５】
本発明の計量機能付き冷蔵庫は、上記制御部が、上記操作パネルからの在庫の収納品一覧の表示指定により、上記収納品のＩＤ情報を上記データベースから読出す機能と、前記在庫の収納品一覧を上記表示パネルの表示画面に表示する機能とを備えている。
【００１６】
本発明の計量機能付き冷蔵庫は、上記制御部が、上記収納品の更新要求がある場合に、前記収納品の更新指示を上記操作パネルで行い、上記データベースに登録された前記収納品のＩＤ情報及び計量情報の内容を更新する機能を備えている。
【００１７】
本発明の計量機能付き冷蔵庫は、上記制御部が、上記収納品のＩＤ情報及び計量情報の削除指定がある場合に、削除指定した前記収納品のＩＤ情報及び計量情報を上記データベースから削除する機能を備えている。
【００１８】
【発明の実施の形態】
以下、本発明の実施の形態を図面に基づいて詳細に説明する。
図１は、本発明の第１の実施の形態における計量機能付き冷蔵庫を示す斜視図、図２は、本発明の第１の実施の形態における計量機能付き冷蔵庫の構成図、図３は、本発明の計量機能付き冷蔵庫の計量器を使用しない時の状態を示す斜視図である。
本発明の計量機能付き冷蔵庫１は、図１及び図２に示すように、白菜である収納品３０に取付けられたＩＤチップ付きラベル３１に埋め込まれた微小な粉末状のＩＤチップ３２に記録されたＩＤ情報を非接触で読取るＩＤチップ読取部２０と、収納品３０の総重量を計量する計量器２１と、ＩＤチップ読取部２０によってＩＤチップ３２から読取られた収納品３０のＩＤ情報及び計量器２１によって計量された収納品３０の計量情報を登録するデータベース（ＤＢ）２４と、ＩＤチップ３２に記録された収納品３０のＩＤ情報及び収納品３０の計量情報の内容を表示する表示パネル２２と、表示パネル２２を操作する操作パネル２３と、冷蔵庫１全体を制御する制御部２５とを有し、制御部２５が、ＩＤチップ付きラベル３１に埋め込まれた粉末状のＩＤチップ３２に記録された収納品３０のＩＤ情報をＩＤチップ読取部２０で読取る機能と、ＩＤチップ３２から読取られた収納品３０のＩＤ情報がデータベース２４に登録済みでない場合に、収納品３０の総重量を計量器２１で計量する機能と、収納品３０のＩＤ情報及び計量情報をデータベース２４に登録する機能とを備えている。
【００１９】
計量機能付き冷蔵庫１は、図１に示すように、箱形の冷蔵庫本体１０を有し、冷蔵庫本体１０には４つの扉１１，１２，１３，１４が開閉自在に装着され、扉１２には表示パネル２２及び操作パネル２３が配設され、扉１３にはＩＤチップ読取部２０及び計量器２１が配設されている。
【００２０】
計量機能付き冷蔵庫１の扉１３には、図１に示すように、開口１５が形成されている。
【００２１】
計量器２１は、図１に示すように、計量機能付き冷蔵庫１の扉１３に形成した開口１５に臨んで配置され、計量器２１の水平な計量器本体２１ａの前縁部の下面には下方に向って突出した取手２１ｂが固設され、計量器２１の計量器本体２１ａの後縁部が扉１３の開口１５の両側に回動自在に枢着されている。
【００２２】
計量機能付き冷蔵庫１は、図２に示すように、冷蔵庫全体を制御する制御部２５と、収納品３０の総重量を計量する計量器２１と、収納品３０に取付けたＩＤチップ付きラベル３１に埋め込まれた粉末状のＩＤチップ３２に記録されたＩＤ情報を読取るＩＤチップ読取部２０と、ＩＤチップ３２から読取られた収納品３０のＩＤ情報及び収納品３０の計量情報を登録するデータベース２４と、ＩＤチップ３２に記録した収納品３０のＩＤ情報及び収納品３０の計量情報の内容を表示する表示パネル２２と、表示パネル２２を操作する操作パネル２３と、時計部２６と、冷蔵庫全体に電気を供給する電源部２７とを有している。
【００２３】
計量機能付き冷蔵庫１の制御部２５には、図２に示すように、計量器２１、ＩＤチップ読取部２０、データベース２４、表示パネル２２、操作パネル２３、時計部２６、電源部２７がそれぞれ接続されている。
【００２４】
ＩＤチップ付きラベル３１には、図１及び図２に示すように、ＩＤ情報を記録した粉末状のＩＤチップ３２が埋め込んで設けられている。
【００２５】
ＩＤチップ付きラベル３１に埋め込んだＩＤチップ３２の記録する内容は、収納品３０のＩＤ情報であるＩＤコード，品名，種別，食品重量，内容量，生産者名，製造メーカ名，生産地，採取年月日，出荷年月日，製造年月日，総重量，賞味期限年月日，価格等である。
【００２６】
ＩＤチップ付きラベル３１に埋め込まれるＩＤチップ３２は、粉末状ＩＣ（集積回路）チップからなり、この粉末状ＩＣチップは最大３８桁の数字を記録することが可能である。
【００２７】
ＩＤチップ３２は、縦×横０．４ｍｍ角，厚さ０．０６ｍｍで、ＩＤチップ付きラベル３１に埋め込んで折り曲げても壊れることがなく、１２８ビットのＲＯＭ（Ｒｅａｄ  Ｏｎｌｙ  Ｍｅｍｏｒｙ；読み出し専用メモリ）を備えている。
【００２８】
通常、計量機能付き冷蔵庫１の計量器２１を使用しない場合は、計量器２１の計量器本体２１ａに固設した取手２１ｂを手で掴み、計量器２１の計量器本体２１ａを水平位置から直立位置まで持ち上げながら回動させることにより、図３に示すように、計量器２１の計量器本体２１ａが扉１３の開口１５に嵌合した状態で納まり、計量器２１の計量器本体２１ａは扉１３の前面と同一平面となり、計量器２１は扉１３に対して係止され、計量器２１は扉１３の前方に突出して邪魔となるようなことがない。
【００２９】
また、計量機能付き冷蔵庫１の計量器２１を使用する場合は、図３に示す計量器２１の計量器本体２１ａが扉１３の開口１５に嵌合した状態において、計量器２１の計量器本体２１ａに固設した取手２１ｂを手で掴み、計量器２１の計量器本体２１ａを直立位置から水平位置まで前方に向って引き倒しながら回動させることにより、図１に示すように、計量器２１の計量器本体２１ａが扉１３の開口１５より前方に向って突出した状態となる。
【００３０】
さらに、計量器２１の水平な計量器本体２１ａの上に収納品３０を乗せると、計量器２１が収納品３０の総重量を計量すると共に、計量器２１の近傍に配置したＩＤチップ読取部２０が収納品３０に取付けたＩＤチップ付きラベル３１に埋め込まれた粉末状のＩＤチップ３２に記録されたＩＤ情報を読取る。
【００３１】
表示パネル２２は、計量機能付き冷蔵庫１の扉１２より取外して使用することができ、表示パネル２２を計量機能付き冷蔵庫１の扉１２より取外せば、表示パネル２２を単独でＴＶ画面，ＰＣ画面，インタネットの表示画面，料理のレシピ情報の表示画面，冷蔵庫の在庫品管理の表示画面として使用することも可能である。
【００３２】
本発明の計量機能付き冷蔵庫１は、ＩＤチップ３２に記録した収納品３０のＩＤ情報が、ＩＤコード，品名，種別，食品重量，内容量，生産者名，製造メーカ名，賞味期限年月日，生産地，採取年月日，出荷年月日，製造年月日，価格，登録年月日，最終収納年月日，品切れ年月日等の情報を有している。
【００３３】
本発明の計量機能付き冷蔵庫１は、計量器２１が、冷蔵庫本体１０に開閉自在に設けた扉１３に対して前方に向って直立位置から水平位置まで引倒し可能な構造を有している。
【００３４】
本発明の計量機能付き冷蔵庫１は、計量器２１が、冷蔵庫本体１０に対して前方に向って引出し可能な構造を有している。
【００３５】
本発明の計量機能付き冷蔵庫１は、表示パネル２２が、扉１２に対して取外し可能な構造を有している。
【００３６】
本発明の計量機能付き冷蔵庫１は、制御部２５が、収納品３０のＩＤ情報に総重量及び容器重量がない場合に、収納品３０の総重量を計量器２１で計量する機能と、収納品３０の総重量から食品重量を減算して容器重量を算出する機能と、収納品３０の計量情報として総重量及び容器重量をデータベース２４に登録する機能とを備えている。
【００３７】
本発明の計量機能付き冷蔵庫１は、制御部２５が、ＩＤチップ３２から読取られた収納品３０のＩＤ情報がデータベース２４に既に登録済みである場合に、ＩＤチップ３２から読取られた収納品３０のＩＤ情報をデータベース２４に既に登録されている収納品３０のＩＤ情報と照合する機能と、収納品３０の総重量を計量器２１で計量する機能と、収納品３０の総重量から容器重量を減算して食品重量を算出する機能とを備えている。
【００３８】
本発明の計量機能付き冷蔵庫１は、制御部２５が、収納品３０の食品重量が０でない場合に、収納品３０の計量情報として食品重量をデータベース２４に再登録する機能を備えている。
【００３９】
本発明の計量機能付き冷蔵庫１は、制御部２５が、収納品３０の食品重量が０である場合に、品切れの収納品３０のログ情報をデータベース２４に格納する機能と、収納品３０のＩＤ情報及び計量情報をデータベース２４から削除する機能とを備えている。
【００４０】
本発明の計量機能付き冷蔵庫１は、制御部２５が、操作パネル２３からの収納品３０のＩＤ情報の表示指定により、収納品３０のＩＤ情報をデータベース２４から読出す機能と、データベース２４に登録した収納品３０のＩＤ情報を表示パネル２２の表示画面に表示する機能とを備えている。
【００４１】
本発明の計量機能付き冷蔵庫１は、制御部２５が、操作パネル２３からの在庫の収納品一覧の表示指定により、収納品３０のＩＤ情報をデータベース２４から読出す機能と、在庫の収納品一覧を表示パネル２２の表示画面に表示する機能とを備えている。
【００４２】
本発明の計量機能付き冷蔵庫１は、制御部２５が、操作パネル２３からの品切れの収納品一覧の表示指定により、データベース２４に格納した品切れの収納品３０のログ情報を読出す機能と、品切れの収納品一覧を表示パネル２２の表示画面に表示する機能とを備えている。
【００４３】
本発明の計量機能付き冷蔵庫１は、制御部２５が、収納品３０の更新要求がある場合に、収納品３０の更新指示を操作パネル２３で行い、データベース２４に登録された収納品３０のＩＤ情報及び計量情報の内容を更新する機能を備えている。
【００４４】
本発明の計量機能付き冷蔵庫１は、制御部２５が、収納品３０のＩＤ情報及び計量情報の削除指定がある場合に、削除指定した収納品３０のＩＤ情報及び計量情報をデータベース２４から削除する機能を備えている。
【００４５】
図４は、本発明の計量機能付き冷蔵庫におけるデータベースに登録された収納品のＩＤ情報及び計量情報一覧の表示指定時の表示パネルの表示画面を示す図である。
計量機能付き冷蔵庫１の表示パネル２２の表示画面２２ａには、図４に示すように、ＩＤコード，品名，種別，食品重量（内容量），容器重量，生産者名（製造メーカ名），採取年月日（製造年月日），総重量，賞味期限年月日，登録年月日，最終収納年月日を表にした収納品３０のＩＤ情報及び計量情報一覧が表示される。
【００４６】
図５は、本発明の計量機能付き冷蔵庫における在庫の収納品一覧の表示指定時の表示パネルの表示画面を示す図である。
計量機能付き冷蔵庫１の表示パネル２２の表示画面２２ａには、図５に示すように、種別，品名，食品重量（内容量），登録年月日，最終収納年月日を表にした在庫の収納品一覧が表示される。
在庫の収納品一覧は、項目別にセレクト可能である。
【００４７】
図６は、本発明の計量機能付き冷蔵庫における品切れの収納品一覧の表示指定時の表示パネルの表示画面を示す図である。
計量機能付き冷蔵庫１の表示パネル２２の表示画面２２ａには、図６に示すように、種別，品名，品切れ年月日を表にした品切れの収納品一覧が表示される。
品切れの収納品一覧は、項目別にセレクト可能である。
【００４８】
図７は、本発明の計量機能付き冷蔵庫における収納品に取付けたＩＤチップ付きラベルのＩＤチップに記録されたＩＤ情報の初期登録判断時の処理フロー図である。
ステップＳ１００でスタートした処理は、収納品３０に取付けたＩＤチップ付きラベル３１に記録されたＩＤチップ３２のＩＤ情報の初期登録判断時に、まず、ステップＳ１０１で制御部２５が収納品３０に取付けたＩＤチップ付きラベル３１に埋め込んだＩＤチップ３２に記録されたＩＤ情報をＩＤチップ読取部２０により読取り、次いで、ステップＳ１０２で制御部２５がＩＤチップ３２から読取った収納品３０のＩＤ情報がデータベース２４に既に登録済みであるか否かを判断する。
【００４９】
ステップＳ１０２において、ＩＤチップ３２から読取った収納品３０のＩＤ情報がデータベース２４に登録済みでない場合は、ステップＳ１０３で制御部２５が収納品３０に取付けたＩＤチップ付きラベル３１のＩＤチップ３２に記録されたＩＤ情報及び収納品３０の計量情報の初期登録時の処理を行う。
【００５０】
ステップＳ１０２において、ＩＤチップ３２から読取った収納品３０のＩＤ情報が既にデータベース２４に登録済みである場合は、ステップＳ１０４で制御部２５が収納品３０の使用後の計量情報の再登録時の処理を行う。
【００５１】
図８は、本発明の計量機能付き冷蔵庫における収納品に取付けたＩＤチップ付きラベルのＩＤチップに記録されたＩＤ情報及び収納品の計量情報の初期登録時の処理フロー図である。
ステップＳ２００でスタートした処理は、収納品３０に取付けたＩＤチップ付きラベル３１に記録されたＩＤチップ３２のＩＤ情報及び収納品３０の計量情報の初期登録時に、まず、ステップＳ２０１で制御部２５が収納品３０に取付けたＩＤチップ付きラベル３１に埋め込んだＩＤチップ３２に記録された収納品３０のＩＤ情報をＩＤチップ読取部２０により読取り、次いで、ステップＳ２０２で制御部２５がＩＤチップ３２から読取った収納品３０のＩＤ情報をデータベース２４に登録し、次いで、ステップＳ２０３で制御部２５が収納品３０の登録年月日をデータベース２４に登録し、次いで、ステップＳ２０４で制御部２５がＩＤチップ３２から読取った収納品３０のＩＤ情報に総重量及び容器重量があるか否かを判断する。
【００５２】
ステップＳ２０４において、ＩＤチップ３２から読取った収納品３０のＩＤ情報に総重量及び容器重量がない場合は、ステップＳ２０５で制御部２５が収納品３０の総重量を計量器２１により計量し、次いで、ステップＳ２０６で制御部２５が収納品３０の総重量から食品重量（内容量）を減算して収納品３０の容器重量を算出し、次いで、ステップＳ２０７で制御部２５が収納品３０の計量情報として総重量及び容器重量をデータベース２４に登録する。
【００５３】
ステップＳ２０４において、ＩＤチップ３２から読取った収納品３０のＩＤ情報に総重量及び容器重量がある場合は、ステップＳ２０７に移行し、ステップＳ２０７で制御部２５が収納品３０の計量情報として総重量及び容器重量をデータベース２４に登録する。
【００５４】
図９は、本発明の計量機能付き冷蔵庫における収納品の使用後の計量情報の再登録時の処理フロー図である。
ステップＳ３００でスタートした処理は、収納品３０の使用後の計量情報の再登録時に、まず、ステップＳ３０１で制御部２５がＩＤチップ３２から読取られた収納品３０のＩＤ情報をデータベース２４に既に登録されている収納品３０のＩＤ情報と照合し、次いで、ステップＳ３０２で制御部２５が収納品３０の総重量を計量器２１により計量し、次いで、ステップＳ３０３で制御部２５が収納品３０の総重量から容器重量を減算して食品重量（内容量）を算出し、次いで、ステップＳ３０４で制御部２５が収納品３０の食品重量（内容量）が０であるか否かを判断する。
【００５５】
ステップＳ３０４において、収納品３０の食品重量（内容量）が０でない場合は、ステップＳ３０５で制御部２５が収納品３０の計量情報として食品重量（内容量）をデータベース２４に再登録し、次いで、ステップＳ３０６で制御部２５が収納品３０の最終収納年月日をデータベース２４に登録する。
【００５６】
ステップＳ３０４において、収納品３０の食品重量（内容量）が０である場合は、ステップＳ３０７で制御部２５が品切れの収納品３０のログ情報が必要であるか否かを判断する。
【００５７】
ステップＳ３０７において、品切れの収納品３０のログ情報が必要である場合は、ステップＳ３０８で制御部２５が品切れの収納品３０のログ情報をデータベース２４に格納し、次いで、ステップＳ３０９で制御部２５が収納品３０のＩＤ情報及び計量情報をデータベース２４から削除する。
【００５８】
ステップＳ３０７において、品切れの収納品３０のログ情報が必要でない場合は、ステップＳ３０９に移行し、ステップＳ３０９で制御部２５が収納品３０のＩＤ情報及び計量情報をデータベース２４から削除する。
【００５９】
図１０は、本発明の計量機能付き冷蔵庫における収納品のＩＤ情報及び計量情報表示時の処理フロー図である。
ステップＳ４００でスタートした処理は、収納品３０のＩＤ情報及び計量情報表示時に、まず、ステップＳ４０１で操作パネル２３からの収納品３０のＩＤ情報及び計量情報の表示指定により、制御部２５が収納品３０のＩＤ情報及び計量情報をデータベース２４から読出し、次いで、ステップＳ４０２で制御部２５がデータベース２４から読出した収納品３０のＩＤ情報及び計量情報を表示パネル２２の表示画面２２ａに表示する。
【００６０】
図１１は、本発明の計量機能付き冷蔵庫における在庫の収納品一覧表示時の処理フロー図である。
ステップＳ５００でスタートした処理は、在庫の収納品一覧表示時に、まず、ステップＳ５０１で在庫の収納品一覧の表示指定を操作パネル２３により行い、次いで、ステップＳ５０２で制御部２５が在庫の収納品３０のＩＤ情報及び計量情報をデータベース２４から読出し、次いで、ステップＳ５０３で制御部２５が表示指定に従ってデータベース２４から読出した在庫の収納品一覧を表示パネル２２の表示画面２２ａに表示する。
【００６１】
図１２は、本発明の計量機能付き冷蔵庫における品切れの収納品一覧表示時の処理フロー図である。
ステップＳ６００でスタートした処理は、品切れの収納品一覧表示時に、まず、ステップＳ６０１で品切れの収納品一覧の表示指定を操作パネル２３により行い、次いで、ステップＳ６０２で制御部２５が品切れの収納品３０のログ情報をデータベース２４から読出し、次いで、ステップＳ６０３で制御部２５が表示指定に従ってデータベース２４から読出した品切れの収納品一覧を表示パネル２２の表示画面２２ａに表示する。
【００６２】
図１３は、本発明の計量機能付き冷蔵庫における在庫の収納品整理時の処理フロー図である。
ステップＳ７００でスタートした処理は、在庫の収納品整理時に、まず、ステップＳ７０１で制御部２５が在庫の収納品一覧を表示パネル２２の表示画面２２ａに表示し、次いで、ステップＳ７０２で制御部２５が在庫の収納品３０の更新要求があるか否かを判断する。
【００６３】
ステップＳ７０２において、在庫の収納品３０の更新要求がある場合は、ステップＳ７０３で在庫の収納品３０の更新指示を操作パネル２３により行い、次いで、ステップＳ７０４で制御部２５がデータベース２４に登録された在庫の収納品３０のＩＤ情報及び計量情報の内容を更新する。
【００６４】
ステップＳ７０２において、在庫の収納品３０の更新要求がない場合は、ステップＳ７０５で制御部２５が在庫の収納品整理時の処理を終了する。
【００６５】
図１４は、本発明の計量機能付き冷蔵庫におけるデータベースに登録した収納品のＩＤ情報及び計量情報の削除時の処理フロー図である。
ステップＳ８００でスタートした処理は、データベース２４に登録した収納品３０のＩＤ情報及び計量情報の削除時に、まず、ステップＳ８０１で制御部２５がデータベース２４に登録した収納品３０のＩＤ情報及び計量情報を表示パネル２２の表示画面２２ａに表示し、次いで、ステップＳ８０２で制御部２５が収納品３０のＩＤ情報及び計量情報の削除であるか否かを判断する。
【００６６】
ステップＳ８０２において、収納品３０のＩＤ情報及び計量情報の削除である場合は、ステップＳ８０３で削除したい収納品３０を操作パネル２３により選択し、制御部２５が選択した収納品３０のＩＤ情報及び計量情報をデータベース２４から削除する。
【００６７】
ステップＳ８０２において、収納品３０のＩＤ情報及び計量情報の削除でない場合は、ステップＳ８０４で制御部２５が削除したい収納品３０に取付けたＩＤチップ付きラベル３１に埋め込んだＩＤチップ３２に記録されたＩＤ情報をＩＤチップ読取部２０により読取り、次いで、ステップＳ８０５で制御部２５が削除したい収納品３０のＩＤ情報及び計量情報の削除指定であるか否かを判断する。
【００６８】
ステップＳ８０５において、削除したい収納品３０のＩＤ情報及び計量情報の削除指定である場合は、ステップＳ８０６で制御部２５が削除指定した収納品３０のＩＤ情報及び計量情報をデータベース２４から削除する。
【００６９】
図１５は、本発明の第２の実施の形態における計量機能付き冷蔵庫を示す斜視図、図１６は、本発明の第２の実施の形態における計量機能付き冷蔵庫の計量器の格納状態を示す斜視図である。
計量機能付き冷蔵庫１は、図１５に示すように、箱形の冷蔵庫本体１０を有し、冷蔵庫本体１０には４つの扉１１，１２，１３，１４が開閉自在に装着され、扉１２には表示パネル２２及び操作パネル２３が配設され、冷蔵庫本体１０には扉１３と扉１４との間に計量器２１が配設され、計量器２１の一側にはＩＤチップ読取部２０が配設されている。
【００７０】
計量機能付き冷蔵庫１の冷蔵庫本体１０の扉１３と扉１４との間には、図１５に示すように、計量器２１及びＩＤチップ読取部２０に臨んで前方に向って開口する格納部１７が形成され、計量機能付き冷蔵庫１の冷蔵庫本体１０の格納部１７には計量器２１及びＩＤチップ読取部２０が前後方向に移動自在に配置されている。
【００７１】
図１５に示す本発明の第２の実施の形態における計量機能付き冷蔵庫１の他の構成は、ＩＤチップ読取部２０及び計量器２１の取付けを除いて図１に示す第１の実施の形態と全く同様のため、同一部位に同一符号を付して説明を省略する。
また、本発明の第２の実施の形態における計量機能付き冷蔵庫で実行される各処理も第１の実施の形態と全く同様のため説明を省略する。
【００７２】
通常、計量機能付き冷蔵庫１の計量器２１を使用しない場合は、計量器２１の計量器本体２１ａに固設した取手２１ｂを手で掴み、計量器２１の計量器本体２１ａを計量機能付き冷蔵庫１の冷蔵庫本体１０の扉１３と扉１４との間に形成した格納部１７に向って水平状態のまま押入れることにより、図１６に示すように、ＩＤチップ読取部２０及び計量器２１が冷蔵庫本体１０の格納部１７に格納され、計量器２１は冷蔵庫本体１０の前方に突出して邪魔となるようなことがない。
【００７３】
また、計量機能付き冷蔵庫１の計量器２１を使用する場合は、図１６に示すＩＤチップ読取部２０及び計量器２１を冷蔵庫本体１０の格納部１７に格納した状態において、計量器２１の計量器本体２１ａに固設した取手２１ｂを手で掴み、計量器２１の計量器本体２１ａを計量機能付き冷蔵庫１の冷蔵庫本体１０の扉１３と扉１４との間に形成した格納部１７から前方に向って引出すことにより、図１５に示すように、計量器２１の計量器本体２１ａ及びＩＤチップ読取部２０が冷蔵庫本体１０の格納部１７の開口より前方に向って突出した状態となる。
【００７４】
さらに、計量器２１の水平な計量器本体２１ａの上に収納品３０を乗せると、計量器２１が収納品３０の総重量を計量すると共に、計量器２１の一側に配置したＩＤチップ読取部２０が収納品３０に取付けたＩＤチップ付きラベル３１に埋め込まれた粉末状のＩＤチップ３２に記録されたＩＤ情報を読取る。
【００７５】
なお、上述した実施の形態においては、計量器を冷蔵庫本体または扉に取付けたが、計量器は冷蔵庫から取外せるようにしても良い。
【００７６】
【発明の効果】
以上に述べたように、本発明の計量機能付き冷蔵庫によれば、収納品に粉末状のＩＤチップを埋め込んだＩＤチップ付きラベルを取付けたので、制御部がＩＤチップ付きラベルに埋め込まれたＩＤチップに記録された収納品のＩＤ情報をＩＤチップ読取部で読取ることができ、ＩＤチップから読取られた収納品のＩＤ情報がデータベースに登録済みでない場合に、収納品を計量器で計量するのみで、収納品のＩＤ情報及び計量情報をデータベースに登録することができ、制御部が収納品のＩＤ情報及び計量情報を表示パネルに表示し、表示パネルを操作パネルで操作し、粉末状のＩＤチップをＩＤチップ付きラベルに埋め込んだので、ＩＤチップに各種のＩＤ情報を記録させることができ、ＩＤチップをＩＤチップ付きラベルに埋め込んで折り曲げてもＩＤチップが壊れることがなく、ＩＤチップの記憶容量が大きいので、より多くのＩＤ情報をＩＤチップに記憶させることができ、ＩＤチップが米粒よりも小さいので、ＩＤチップ付きラベルにＩＤチップを埋め込むための特別なスペースを必要とせず、ＩＤチップ付きラベルを収納品毎に取付けるのみで、収納品のＩＤ情報及び計量情報をデータベースにより管理することができる。
また、ＩＤチップから読取られた収納品のＩＤ情報がデータベースに既に登録済みである場合に、制御部がＩＤチップから読取られた収納品のＩＤ情報をデータベースに既に登録されている収納品のＩＤ情報と照合し、収納品の総重量を計量器で計量し、収納品の総重量から容器重量を減算して食品重量を算出することができる。
また、収納品の食品重量が０である場合に、制御部が品切れの収納品のログ情報をデータベースに格納し、収納品のＩＤ情報及び計量情報をデータベースから削除することができる。
さらに、操作パネルからの品切れの収納品一覧の表示指定により、制御部がデータベースに格納した品切れの収納品のログ情報を読出し、品切れの収納品一覧を表示パネルの表示画面に表示させることができる。
【００７７】
本発明の計量機能付き冷蔵庫によれば、ＩＤチップに記録した収納品のＩＤ情報が、ＩＤコード，品名，種別，食品重量，内容量，生産者名，製造メーカ名，賞味期限年月日，生産地，採取年月日，出荷年月日，製造年月日，価格，登録年月日，最終収納年月日，品切れ年月日等の情報を有しているので、ＩＤ情報を収納品の管理に有効利用することができる。
【００７８】
本発明の計量機能付き冷蔵庫によれば、計量器が冷蔵庫本体に開閉自在に設けた扉に対して前方に向って直立位置から水平位置まで引倒し可能な構造を有しているので、計量器を使用しない時は、計量器を水平位置から直立位置まで持ち上げながら回動させるのみで、計量器を扉の前面に添わせることができる。
【００７９】
本発明の計量機能付き冷蔵庫によれば、計量器が冷蔵庫本体に対して前方に向って引出し可能な構造を有しているので、計量器を使用しない時は、計量器を冷蔵庫本体に向って押入れるのみで、計量器を冷蔵庫本体に格納することができる。
【００８０】
本発明の計量機能付き冷蔵庫によれば、表示パネルが扉に対して取外し可能な構造を有しているので、表示パネルを扉より取外して使用することができる。
【００８１】
本発明の計量機能付き冷蔵庫によれば、収納品のＩＤ情報に総重量及び容器重量がない場合に、収納品の総重量を計量器で計量し、制御部が収納品の総重量から食品重量を減算して容器重量を算出し、収納品の計量情報として総重量及び容器重量をデータベースに登録することができる。
【００８２】
本発明の計量機能付き冷蔵庫によれば、収納品の食品重量が０でない場合に、収納品の計量情報として食品重量をデータベースに再登録することができる。
【００８３】
本発明の計量機能付き冷蔵庫によれば、操作パネルからの収納品のＩＤ情報の表示指定により、制御部が収納品のＩＤ情報をデータベースから読出し、データベースに登録した収納品のＩＤ情報を表示パネルの表示画面に表示させることができる。
【００８４】
本発明の計量機能付き冷蔵庫によれば、操作パネルからの在庫の収納品一覧の表示指定により、制御部が収納品のＩＤ情報をデータベースから読出し、在庫の収納品一覧を表示パネルの表示画面に表示させることができる。
【００８５】
本発明の計量機能付き冷蔵庫によれば、収納品の更新要求がある場合に、収納品の更新指示を操作パネルで行い、データベースに登録された収納品のＩＤ情報及び計量情報の内容を更新することができる。
【００８６】
本発明の計量機能付き冷蔵庫によれば、収納品のＩＤ情報及び計量情報の削除指定がある場合に、削除指定した収納品のＩＤ情報及び計量情報をデータベースから削除することができる。
【図面の簡単な説明】
【図１】本発明の第１の実施の形態における計量機能付き冷蔵庫を示す斜視図。
【図２】本発明の第１の実施の形態における計量機能付き冷蔵庫の構成図。
【図３】本発明の計量機能付き冷蔵庫の計量器を使用しない時の状態を示す斜視図。
【図４】本発明の計量機能付き冷蔵庫におけるデータベースに登録された収納品のＩＤ情報及び計量情報一覧の表示指定時の表示パネルの表示画面を示す図。
【図５】本発明の計量機能付き冷蔵庫における在庫の収納品一覧の表示指定時の表示パネルの表示画面を示す図。
【図６】本発明の計量機能付き冷蔵庫における品切れの収納品一覧の表示指定時の表示パネルの表示画面を示す図。
【図７】本発明の計量機能付き冷蔵庫における収納品に取付けたＩＤチップ付きラベルのＩＤチップに記録されたＩＤ情報の初期登録判断時の処理フローチャート図。
【図８】本発明の計量機能付き冷蔵庫における収納品に取付けたＩＤチップ付きラベルのＩＤチップに記録されたＩＤ情報及び収納品の計量情報の初期登録時の処理フローチャート図。
【図９】本発明の計量機能付き冷蔵庫における収納品の使用後の計量情報の再登録時の処理フローチャート図。
【図１０】本発明の計量機能付き冷蔵庫における収納品のＩＤ情報及び計量情報表示時の処理フローチャート図。
【図１１】本発明の計量機能付き冷蔵庫における在庫の収納品一覧表示時の処理フローチャート図。
【図１２】本発明の計量機能付き冷蔵庫における品切れの収納品一覧表示時の処理フローチャート図。
【図１３】本発明の計量機能付き冷蔵庫における在庫の収納品整理時の処理フローチャート図。
【図１４】本発明の計量機能付き冷蔵庫におけるデータベースに登録した収納品のＩＤ情報及び計量情報の削除時の処理フローチャート図。
【図１５】本発明の第２の実施の形態における計量機能付き冷蔵庫を示す斜視図。
【図１６】本発明の第２の実施の形態における計量機能付き冷蔵庫の計量器の格納状態を示す斜視図。
【符号の説明】
１  計量機能付き冷蔵庫
１０  冷蔵庫本体
１１  扉
１２  扉
１３  扉
１４  扉
１５  開口
１７  格納部
２０  ＩＤチップ読取部
２１  計量器
２１ａ  計量器本体
２１ｂ  取手
２２  表示パネル
２２ａ  表示画面
２３  操作パネル
２４  データベース
２５  制御部
２６  時計部
２７  電源部
３０  収納品
３１  ＩＤチップ付きラベル
３２  ＩＤチップ
【図１】
0003549860.tif 000002
【図２】
0003549860.tif 000003
【図３】
0003549860.tif 000004
【図４】
0003549860.tif 000005
【図５】
0003549860.tif 000006
【図６】
0003549860.tif 000007
【図７】
0003549860.tif 000008
【図８】
0003549860.tif 000009
【図９】
0003549860.tif 000010
【図１０】
0003549860.tif 000011
【図１１】
0003549860.tif 000012
【図１２】
0003549860.tif 000013
【図１３】
0003549860.tif 000014
【図１４】
0003549860.tif 000015
【図１５】
0003549860.tif 000016
【図１６】
0003549860.tif 000017